(57)【特許請求の範囲】
【請求項１】
互いに接する複数列のアーチ形に湾曲して伸びる環状体を備え、
各列の環状体はその伸長方向に関して互いに接する、流体の供給および排出により膨張及び収縮が可能である複数のセグメントからなり、
各列の環状体の複数のセグメントは互いに解除可能に接続され、かつ、一の列の環状体の各セグメントと前記一の列の環状体に隣接する他の列の環状体の各セグメントとが互いに解除可能に接続され、
各セグメントは、前記流体の受け入れ空間を規定する袋であって前記環状体の伸長方向に互いに相対する一対の端面、前記環状体の配列方向に互いに相対する一対の側面、両端面及び両側面に連なりかつ互いに相対する内外両周面を有する袋と、該袋の両端面及び両側面にそれぞれ取り付けられた４つの板部材と、前記袋の外周面に取り付けられ前記両端面及び両側面に沿ってそれぞれ伸びる、線ファスナ又は面ファスナを構成する２つの片のうちの一片とを備え、
各セグメントは各板部材に設けられた複数の凹部又は複数の凸部を有し、一のセグメントの板部材の凹部又は凸部は、それぞれ、前記一のセグメントに隣接する他のセグメントの凸部又は凹部に係合可能である、仮設屋根。
【請求項２】
前記セグメントは、さらに、前記袋の外周面に取り付けられ前記線ファスナの両片を覆うカバーを備える、請求項１に記載の仮設屋根。
【請求項３】
前記袋の両端面に取り付けられた２つの板部材はそれぞれ折り畳み可能である、請求項１に記載の仮設屋根。
【請求項４】
前記板部材は、平板と該平板に接着された合成樹脂製のフィルムとからなり、前記平板は３以上に分割されている、請求項３に記載の仮設屋根。
【請求項５】
前記袋は防水性を有する布からなる、請求項１に記載の仮設屋根。
【発明の詳細な説明】
【技術分野】
【０００１】
本発明は、例えば建物の躯体の構築の際、配筋箇所やコンクリート打設箇所が降雨や降雪、あるいは直射日光に直接に曝されないように、建物の躯体の一部を一時的に覆うために設置される仮設屋根に関する。
【背景技術】
【０００２】
従来、仮設屋根の設置及び撤去を容易にすることを目的として、空気の供給および排出により膨張及び収縮が可能である仮設屋根が提案されている（後記特許文献１参照）。この仮設屋根は、アーチ形に湾曲して伸びる、互いに連結された複数列の環状体を備える。
【０００３】
これによれば、仮設屋根は環状体に空気を供給して環状体を膨張させることにより形成することができ、また、環状体からの空気の排出により解体することができ、これが、前記仮設屋根の設置及び撤去に要する労力及び時間の軽減に寄与する。
【０００４】
ところで、例えば建築中においては、建物の躯体の上にあるいは該躯体上から、タワークレーンのような重機を用いて荷揚げあるいは荷卸しを行うことがある。しかし、前記従来の仮設屋根にあっては仮設屋根の下の空間への又は該空間からの直接の荷揚げ又は荷卸しを行うことができないという問題がある。
【先行技術文献】
【特許文献】
【０００５】
【特許文献１】特開平１０−２９９１５３号公報
【発明の概要】
【発明が解決しようとする課題】
【０００６】
本発明の目的は、空気の供給および排出により膨張及び収縮が可能である、アーチ形に湾曲して伸びる複数列の環状体を備える仮設屋根であって該仮設屋根下の空間への又は該空間からの直接の荷卸し又は荷卸しを可能にする仮設屋根を提供することにある。
【課題を解決するための手段】
【０００７】
本発明に係る仮設屋根は、互いに接する複数列のアーチ形に湾曲して伸びる環状体を備える。各列の環状体はその伸長方向に関して互いに接する、流体の供給および排出により膨張及び収縮が可能である複数のセグメントからなる。各列の環状体の複数のセグメントは互いに解除可能に接続され、かつ、一の列の環状体の各セグメントと該一の列の環状体に隣接する他の列の環状体の各セグメントとは互いに解除可能に接続されている。
【０００８】
本発明によれば、複数列の環状体はこれらを構成する個々のセグメントに空気のような流体を供給することにより膨張した状態におかれ、膨張状態におかれた複数列の環状体によって仮設屋根が構成される。前記仮設屋根は、例えば、構築中の建物の躯体を構成する複数の柱の上に設置することができる。
【０００９】
前記仮設屋根は、地上で、複数のセグメントを相互に接続して複数列の環状体を形成し、さらに各セグメントに流体を供給することにより、組み立てることができる。地上で組み立てられた仮設屋根は、これを例えば構築中の建物の躯体の上に吊り上げ、該躯体上に設置することができる。前記躯体上に設置された仮設屋根の使用の間、前記仮設屋根からこれを構成する複数のセグメントのうちの一つ、又は、互いに隣接する複数のセグメントを、他のセグメントとの接続を解除することにより取り除くことができる。但し、前記一つ又は複数のセグメントの取り除きは、残りのセグメントによって前記仮設屋根としての構造が維持されるように行う。これにより、前記仮設屋根に開口を設けることができ、該開口を通して、設置中の仮設屋根の下の空間に荷を直接に吊り下ろし、また、前記空間から荷を直接に吊り上げることができる。前記仮設屋根に設けられた開口は、取り除かれた前記一又は複数のセグメントを元の位置に戻し、前記他のセグメントに接続することにより塞ぐことができ、これにより、前記仮設屋根を元の状態に復することができる。
【００１０】
各セグメントは、前記流体の受け入れ空間を規定する袋であって前記環状体の伸長方向に互いに相対する一対の端面、前記環状体の配列方向に互いに相対する一対の側面、両端面及び両側面に連なりかつ互いに相対する内外両周面を有する袋と、該袋の両端面及び両側面にそれぞれ取り付けられた４つの板部材と、前記袋の外周面に取り付けられ前記両端面及び両側面に沿ってそれぞれ伸びる、線ファスナ又は面ファスナを構成する両片のうちの一片とを備える。
【００１１】
これによれば、前記袋に流体を供給するとき、一の袋の両端面及び両側面が、これらに取り付けられた前記板部材において、前記一の袋に隣接する他の袋の端面及び側面に接し、また、その膨張圧により密に接する。さらに、互いに隣接する一の袋及び他の袋が前記線ファスナ又は面ファスナの２つの片の相互係合により、セグメント相互の接続を容易に行うことができる。
【００１２】
前記セグメントは、さらに、前記袋の外周面に取り付けられ前記線ファスナの両片を覆うカバーを備えるものとすることができる。
【００１３】
これによれば、前記線ファスナの両片を覆うカバーにより該ファスナの両片間を通しての雨漏りを防止することができる。
【００１４】
各セグメントは各板部材に設けられた複数の凹部又は複数の凸部を有し、一のセグメントの板部の凹部又は凸部は、それぞれ、前記一のセグメントに隣接する他のセグメントの凸部又は凹部に係合可能である。
【００１５】
これによれば、前記仮設屋根の組み立ての際、前記凹部と前記凸部との相互係合により、互いに隣接するセグメント相互の位置決めを正確に行うことができる。
【００１６】
前記袋の両端面に取り付けられた２つの板部材は、それぞれ、折り畳み可能であるものとすることができる。このために、例えば、前記板部材を３以上に分割されたセラミック製の平板と該平板に接着された合成樹脂製のフィルムとで構成することができる。
【００１７】
これによれば、前記セグメントを折り畳み状態とすることができ、これにより、前記セグメントの運搬及び保管を容易にすることができる。
【００１８】
前記袋は、好ましくは、防水性を有する布からなる。これは、前記仮設屋根の雨漏り防止に寄与する。
【図面の簡単な説明】
【００１９】
【図１】仮設屋根の斜視図である。
【図２】２つのセグメントが取り除かれた仮設屋根の斜視図である。
【図３】仮設屋根の側面図である。
【図４】仮設屋根の支持態様を示す側面図である。
【図５】セグメントの斜視図である。
【図６】折り畳まれた状態のセグメントの斜視図である。
【発明を実施するための形態】
【００２０】
図１を参照すると、建築中の建物の躯体を構成する床スラブＦからその上方へ突出する構築途上の２対（４つ）の柱Ｃの上に仮設屋根１０が設置されている。仮設屋根１０は配筋、コンクリート打設等の作業が行われる領域（作業領域）を一時的に覆い、前記作業領域への降雨、降雪、直射日光等を遮る働きをなす。
【００２１】
仮設屋根１０はアーチ形に湾曲して伸びる複数列（図示の例では４列）の環状体１２を備え、複数列の環状体１２はこれらの配列方向ａに関して互いに接している。複数列の環状体１２は同一の外形すなわち同一の横断面形状及びこれらの環状体１２の伸長方向ｂに関して同一の長さ（伸長方向長さ）を有する。また、環状体１２の湾曲形状である前記アーチ形は、図示の例では円弧からなる。環状体１２の列の数、湾曲の程度（図示の例では前記円弧の曲率の程度）、断面の大きさ（太さ）及び長さ（伸長方向長さ又は周方向長さ）は、仮設屋根１０により覆われる前記作業領域の広さ、前記作業に必要な高さ等を勘案して任意に定めることができる。なお、環状体１２の湾曲形状である前記アーチ形は、図示の例に代えて、例えば放物線、楕円弧等とすることができる。
【００２２】
各列の環状体１２は、空気のような流体の供給および排出により膨張及び収縮が可能である複数（図示の例では５つ）のセグメント１４からなる。各列の環状体１２と同一の方向（伸長方向ｂ）へ湾曲して伸びる複数のセグメント１４は環状体１２と同一の横断面形状を有する。また、これらのセグメント１４は同一の外形、したがって環状体１２の配列方向ａに関する長さ（幅）及び環状体１２の伸長方向ｂに関する長さ（伸長方向長さ又は周方向長さ）がそれぞれ等しい。さらに、これらのセグメントは環状体１２の伸長方向ｂに関して互いに接し、また、一の列の環状体１２を構成する複数のセグメント１４と、前記一の列に隣接する他の列の環状体１２を構成する複数のセグメント１４とは、環状体１２の配列方向ａに関して、互いに相対しかつ接している。
【００２３】
複数列の環状体１２について、これらが同一の横断面形状を有する図示の例に代えて、これらが非同一の横断面形状を有するものとすることができる。例えば、互いに隣接する一の列の環状体１２と他の列の環状体１２とが、したがって前記一の列の環状体１２を構成する各セグメント１４と前記他の列の環状体１２を構成する各セグメント１４とが、配列方向ａに関して、異なる長さ寸法すなわち異なる幅寸法を有するものとすることができる。
【００２４】
また、各列の環状体１２を構成する複数のセグメント１４について、これらが等しい周方向長さを有する図示の例に代えて、異なる周方向長さを有するものとすることができる。したがって、また、前記一の列を構成する複数のセグメント１４の数量と、前記他の列の環状体１２を構成する複数のセグメント１４の数量とを互いに異なるものとすることができる。
【００２５】
各列の環状体１２を構成する複数のセグメント１４は互いに解除可能に接続されており、これにより環状体１２が形成されている。また、一の列の環状体１２の各セグメント１４と、該セグメントに対して環状体１２の配列方向ａに関して対向しかつ接する他の列の環状体１２の各セグメント１４とは、互いに解除可能に接続されている。これにより、環状体１２が相互に接続されている。
【００２６】
隣接するセグメント１４相互の接続を解除することにより、一又は複数のセグメント１４を仮設屋根１０から取り除き、仮設屋根１０に開口１６（図２）を設けることができる。図２に示すところでは、４列の環状体１２の内、これらの環状体１２の配列方向ａにおける中央に位置する２列の環状体１２から、配列方向ａに相対する２つのセグメント１４が取り除かれている。
【００２７】
２つのセグメント１４を取り除いて形成された開口１６は、該開口を通しての建築用資材を含む任意の荷（図示せず）の搬入又は搬出に利用することができる。より詳細には、タワークレーンのような重機を用いた、仮設屋根１０下の床スラブＦ上への荷卸し又は該床スラブ上からの荷揚げを行うことができる。これによれば、従来における、一旦床スラブＦ上におかれた荷の仮設屋根１０下への運び入れ又は仮設屋根１０下からの運び出しの作業を不要とすることができる。
【００２８】
仮設屋根１０は、該仮設屋根を構成する４列の環状体１２の配列方向ａにおける両端に位置する二列の環状体１２の伸長方向ｂにおける両端において、二対の柱Ｃに支持されている。このため、各対の柱Ｃは仮設屋根１０の自重Ｗ（図３）の水平方向成分Ｗ１の作用と鉛直方向成分Ｗ２の作用とを受ける。ここにおいて、水平方向成分Ｗ１の作用による各対の柱Ｃの反り返りを防止するため、好ましくは、各環状体１２の伸長方向ｂにおける両端部１２ａをワイヤ１８で連結する。
【００２９】
仮設屋根１０の二対の柱Ｃ上への設置のために、一例として、各柱Ｃから該柱の軸線方向上方へ突出する複数の主筋Ｃ１に被せられた蓋状部材２０（図４）が用いられている。
【００３０】
図４に示すように、蓋状部材２０は上端閉鎖の扁平な筒状体２２と、該筒状体の内部において該筒状体の閉鎖上端から互いに間隔をおいて筒状体２２の軸線方向へ伸びる多数の突起２４とを備える。多数の突起２４はこれらの間に柱Ｃの各主筋Ｃ１を受け入れ、これにより、蓋状部材２０が柱Ｃに対して水平方向に関して実質的に不動の状態におかれている。二対の柱Ｃ上に載置された前記２つの環状体１２はそれぞれの端部１２ａにおいて、後述する面ファスナ４０と同様の面ファスナ２５を介して蓋状部材２０の筒状体２２に解除可能に固定されている。図示の例において、面ファスナ２５の２つの片のうちの一片と他片とが、それぞれ、環状体１２の各端部１２ａと蓋状部材２０の筒状体２２とに取り付けられており、前記２つの片のフック面及びループ面において互いに接している。図示の例に代えて、環状体１２の各端部１２ａを蓋状部材２０の筒状体２２に固定し、これにより環状体１２と蓋状部材２０とが一体をなすものとすることができる。なお、符号Ｃ２は、柱Ｃの複数の主筋Ｃ１の周囲を取り巻くフープ筋を示す。
【００３１】
図５を参照すると、セグメント１４の一例が示されている。セグメント１４は、前記流体の受け入れ空間を規定する袋２６を備える。袋２６は、例えば防水性を有する布からなり、環状体１２の伸長方向ｂに関して互いに相対する一対の端面２８ａ、２８ｂと、環状体１２の配列方向ａに関して互いに相対する一対の側面３０ａ、３０ｂと、両端面２８ａ、２８ｂ及び両側面３０ａ、３０ｂに連なりかつ環状体１２の内周面及び外周面をそれぞれ規定することとなる互いに相対する内周面３２ａ及び外周面３２ｂとを有する。
【００３２】
セグメント１４は、また、袋２６の両端面２８ａ、２８ｂ及び両側面３０ａ、３０ｂにそれぞれ取り付けられ、これらの面に沿って伸びかつこれらの面をそれぞれ覆う、例えばセラミック製の２対の板部材３４ａ、３４ｂ及び３６ａ、３６ｂを有する。なお、これらの板部材３４ａ、３４ｂ及び３６ａ、３６ｂの板厚については、図の簡略化のため、省略した。これらの板部材３４ａ、３４ｂ及び３６ａ、３６ｂは、一のセグメント１４と、該セグメントに環状体１２の伸長方向ｂ及び配列方向ａに関してそれぞれ隣接する他のセグメント１４との平坦な当接面を規定する。
【００３３】
セグメント１４は、さらに、袋２６の外周面３２ｂに取り付けられ袋２６の各端面２８ａ、２８ｂに沿って伸びる、線ファスナ３８を構成する２つの片うちの一片と、袋２６の各側面３０ａ、３０ｂに沿って伸びる、面ファスナ４０を構成する２つの片のうちの一片４０ａとを備える。
【００３４】
開閉可能の留め具である線ファスナ３８の一片はテープ３８ａと、該テープに取り付けられた複数のエレメント（務歯）３８ｂと、該エレメントに取り付けられたスライダー（開閉部品）３８ｃとからなり、他片（図示せず）はテープと、該テープに取り付けられた複数のエレメント（務歯）とからなる。線ファスナ３８の一片を有する一のセグメント１４に対して、該一のセグメントに隣接する他のセグメント１４が線ファスナ３８の２つの片のうちの他片を有する。一のセグメント１４とこれに隣接する他のセグメント１４とは、線ファスナ３８の両片におけるエレメント同士の噛合い及びその解除により互いに接続されまた接続が解除される。
【００３５】
図示の例にあっては、線ファスナ３８の両片のエレメントは、一のセグメント１４とこれに隣接する他のセグメント１４との間の上方位置において噛み合う。このため、雨天時、雨水が両エレメント間を経て一方及び他方の両セグメント１４間に滴り落ちることにより、仮設屋根１０に雨漏りが発生する可能性がある。そこで、これを回避するため、例えば、線ファスナ３８の一片又は他片を覆うカバー（図示せず）を袋２６の外周面３２ｂに取り付ける。あるいは、例えば、線ファスナ３８の両片のエレメント相互の噛合い位置が、一のセグメント１４の袋２６の外周面３２ｂ上又は他のセグメント１４の袋２６の外周面３２ｂ上にあるように、線ファスナ３８の両片をそれぞれ一のセグメント１４の袋２６及び他のセグメント１４の袋２６に取り付ける。
【００３６】
また、面ファスナ４０の一片４０ａは多数のフックを有するフック面を備え、他片（図示せず）は多数のループを有するループ面を備える。面ファスナ４０の一片４０ａを有する一のセグメント１４に対して、該一のセグメントに隣接する他のセグメント１４は面ファスナ４０の２つの片のうちの他片を有する。一のセグメント１４とこれに隣接する他のセグメント１４とは、面ファスナ４０の両片の前記フック面及びループ面相互の押し付け及び引き剥がしにより互いに接続されまた接続が解除される。
【００３７】
なお、セグメント１４同士の接続手段として、これを線ファスナ３８及び面ファスナ４０の双方とする図示の例に代えて、線ファスナ３８のみとし、あるいは、面ファスナ４０のみとすることができる。
【００３８】
仮設屋根１０は、地上において、複数のセグメント１４を相互に接続し、これにより複数列の環状体１２を形成し、次に各セグメント１４の袋２６に設けられた口（図示せず）を通して各袋２６に前記流体を供給することにより組み立てることができる。地上で組み立てられた仮設屋根１０は、重機を用いて、これを例えば前記建物の躯体の上に吊り上げることができる。
【００３９】
前記流体の供給により膨張する一のセグメント１４及びこれに隣接する他のセグメント１４は、環状体１２の伸長方向ｂに関して、一方のセグメント１４の袋２６の一端面２８ａと他方のセグメント１４の袋２６の他端面２８ｂとにおいて、板部材３４ａ及び板部材３４ｂを介して当接する。このとき、両板部材３４ａ、３４ｂは、両袋２６の膨張圧を受けて互いに密接する。
【００４０】
また、前記流体の供給により膨張する一のセグメント１４及びこれに隣接する他のセグメント１４は、環状体１２の配列方向ａに関して、一方のセグメント１４の袋２６の側面３０ａと他方のセグメント１４の袋２６の側面３０ｂとにおいて、板部材３６ａ及び板部材３６ｂを介して当接する。このとき、同様に、両板部材３６ａ、３６ｂが両袋２６の膨張圧を受けて互いに密接する。両板部材３４ａ、３４ｂ相互の密接及び両板部材３６ａ、３６ｂ相互の密接は、セグメント１４相互間を通しての雨漏り防止に寄与する。
【００４１】
図示の例において、各板部材３４ａ、３４ｂ及び各板部材３６ａ、３６ｂは、それぞれ、袋２６の各端面２８ａ、２８ｂの全部及び各側面３０ａ、３０ｂの全部を覆っているが、この例に代えて、袋２６の各端面２８ａ、２８ｂの一部及び各側面３０ａ、３０ｂの一部を覆うものとすることができる。
【００４２】
また、一のセグメント１４とこれに隣接する他のセグメント１４との当接時、両板部材３４ａ、３４ｂ同士が整合しまた両板部材３６ａ、３６ｂ同士が整合するように、両板部材３４ａ、３４ｂに、また、両板部材３６ａ、３６ｂに、互いに係合可能である複数の凹部及び凸部を設けることができる。図示の例では、一のセグメントに凹部４２のみが設けられ、これに隣接する他のセグメント１４に凸部（図示せず）のみが設けられる。図示の例に代えて、一のセグメント１４及び他のセグメント１４のそれぞれに凹部及び凸部の双方を設けることが可能である。
【００４３】
次に、袋２６の両端面２８ａ、２８ｂにそれぞれ取り付けられた２つの板部材３４ａ、３４ｂはそれぞれ折り畳み可能のものとすることができる（図６参照）。ここにおいて、各板部材３４ａ、３４ｂは、線ｌ１及び線ｌ２に沿って３つに分割されたセラミック製、プラスチック製、木製、金属製等の平板（図示せず）と該平板の表面に接着された合成樹脂製のフィルム（図示せず）とからなるものとすることができる。図示の線ｌ１及び線ｌ２は、それぞれ、袋２６の各端面２８ａ、２８ｂと各側面３０ａ、３０ｂとの交差箇所から各端面２８ａ、２８ｂと外周面３２ｂとの交差線に向けて伸びている。但し、線ｌ１及び線ｌ２は交差しない。これによれば、図６に示すように、セグメント１４の各板部材３４ａ、３４ｂを線ｌ１及び線ｌ２に沿って折り畳んだのち、折り畳まれた各板部材３４ａ、３４ｂの上に他の板部材３６ａ、３６ｂ折り重ねることができる。これによれば、セグメント１４の保管及び運搬をより容易にすることができる。折り畳み可能の板部材３４ａ、３４ｂは、図示の例に代えて、例えば、硬質プラスチック製の平板であって線ｌ１及び線ｌ２に沿って伸びる折り溝を有する平板（図示せず）からなるものとすることができる。これによれば、前記平板を線ｌ１及び線ｌ２に沿って折り曲げることができる。
【符号の説明】
【００４４】
１０  仮設屋根
１２  環状体
１４  セグメント
１６  開口
１８  ワイヤ
２０  蓋状部材
２６  袋
２８ａ、２８ｂ  袋の端面
３０ａ、３０ｂ  袋の側面
３２ａ、３２ｂ  袋の内周面及び外周面
３４ａ、３４ｂ  板部材
３６ａ、３６ｂ  板部材
３８  線ファスナ
４０  面ファスナ
４２  凹部
ｌ１、ｌ２  分割線
【図１】
0006666707.tif 000002
【図２】
0006666707.tif 000003
【図３】
0006666707.tif 000004
【図４】
0006666707.tif 000005
【図５】
0006666707.tif 000006
【図６】
0006666707.tif 000007